(57)【要約】【課題】作業者等に起因する異物の混入等に起因する不具合を飛躍的に抑制することのできるブリスタ包装機の監視システムを提供する。【解決手段】複数台のブリスタ包装機８＃１〜８＃ｎが、包装機室４０内に設置されている。各ブリスタ包装機８＃１〜８＃ｎは、各種アクチュエータの制御を司る制御手段５０＃１〜５０＃ｎを備え、ＬＡＮ５３に接続されている。包装機室４０内には、各ブリスタ包装機８＃１〜８＃ｎを集中管理するための管理手段５５がＬＡＮ５３を介して設けられる。管理手段５５において管理されている情報等は、ＬＡＮ５３、携帯電話網５８を介してメールサーバー６１に一旦保存される。携帯電話網５８からは、メールサーバー６１に一旦保存された情報等が別室７０に待機している作業者が携帯している携帯電話６２へとメール情報として送信される。【選択図】      図１
2004175380.tif 000002
【特許請求の範囲】
【請求項１】
室内に設置されたブリスタ包装機に関し、特定の状態を検知する状態検知手段と、
前記ブリスタ包装機の設置された室とは別の場所に位置する作業者によって携帯される携帯端末と、
前記状態検知手段により、前記特定の状態が検知された場合、その情報の前記携帯端末への送信を可能とする携帯通信網とを備えたことを特徴とするブリスタ包装機の監視システム。
【請求項２】
室内に設置されたブリスタ包装機に関し、特定の状態を検知する状態検知手段と、
常には前記ブリスタ包装機の設置された室とは別の場所に位置する作業者によって携帯され、少なくとも前記特定の状態に関連する情報を受信かつ報知可能な携帯端末と、
前記状態検知手段により、前記特定の状態が検知された場合、それに関連する情報を前記携帯端末へ送信可能な携帯通信網とを備えたことを特徴とするブリスタ包装機の監視システム。
【請求項３】
前記特定の状態は、作業者による所定の作業を必要とする状態であることを特徴とする請求項１又は２に記載のブリスタ包装機の監視システム。
【請求項４】
前記ブリスタ包装機を管理する管理手段を具備し、かつ、前記特定の状態は、前記管理手段により管理される、前記ブリスタ包装機によるブリスタシートの生産に関する特定の状況であることを特徴とする請求項１乃至３のいずれかに記載のブリスタ包装機の監視システム。
【請求項５】
室内に設置されたブリスタ包装機に関し、特定の作業を必要とする状態であることを検知する作業必要状態検知手段と、
常には前記ブリスタ包装機の設置された室とは別の場所に位置する作業者によって携帯され、少なくとも前記特定の状態となっている旨を受信かつ報知可能な携帯端末と、
前記作業必要状態検知手段により、前記特定の作業を必要とする状態となっていることが検知された場合、その旨の情報を前記携帯端末へ送信可能な携帯通信網とを備えたことを特徴とするブリスタ包装機の監視システム。
【請求項６】
前記特定の作業を必要とする状態は、材料の不足状態及びブリスタ包装機の異常状態のうち少なくとも１つを含んでいることを特徴とする請求項５に記載のブリスタ包装機の監視システム。
【請求項７】
室内に設置されたブリスタ包装機に関し、ブリスタ包装機の状態を管理する管理手段と、
常には前記ブリスタ包装機の設置された室とは別の場所に位置する作業者によって携帯され、少なくとも前記管理手段で管理されるブリスタ包装機の状態に関する情報を受信かつ報知可能な携帯端末と、
前記管理手段で管理されるブリスタ包装機の状態に関する情報を、前記携帯端末へ送信可能な携帯通信網とを備えたことを特徴とするブリスタ包装機の監視システム。
【請求項８】
前記管理手段で管理されるブリスタ包装機の状態は、稼働状況、生産状況及び設定状況のうち少なくとも１つを含んでいることを特徴とする請求項７に記載のブリスタ包装機の監視システム。
【請求項９】
前記管理手段が、前記室内に設置される複数のブリスタ包装機の状態を集中して管理するよう構成したことを特徴とする請求項７又は８のいずれかに記載のブリスタ包装機の監視システム。
【請求項１０】
前記管理手段と、複数のブリスタ包装機とが、ローカルエリアネットワークで接続されていることを特徴とする請求項９に記載のブリスタ包装機の監視システム。
【請求項１１】
作業者が前記携帯端末を操作することで、前記作業者が指示する指示データが、前記携帯通信網を介して前記管理手段に送信可能となっており、前記指示データが前記管理手段において登録されるよう構成したことを特徴とする請求項７乃至１０のいずれかに記載のブリスタ包装機の監視システム。
【請求項１２】
作業者が前記携帯端末を操作することで、前記作業者が指示する指示データが、前記携帯通信網を介して前記ブリスタ包装機の制御手段に送信可能となっており、前記指示データが前記制御手段において登録されるよう構成したことを特徴とする請求項１乃至１１のいずれかに記載のブリスタ包装機の監視システム。
【請求項１３】
前記指示データは、少なくとも生産予定数量を含むことを特徴とする請求項１１又は１２に記載のブリスタ包装機の監視システム。
【請求項１４】
作業者が前記携帯端末を操作することで、前記携帯通信網を介して前記情報が前記携帯端末に送信されるよう構成したことを特徴とする請求項１乃至１３のいずれかに記載のブリスタ包装機の監視システム。
【請求項１５】
前記携帯端末は、携帯電話であり、前記携帯通信網は携帯電話網であることを特徴とする請求項１乃至１４のいずれかに記載のブリスタ包装機の監視システム。
【請求項１６】
前記情報を、前記携帯電話にメール送信可能に構成したことを特徴とする請求項１５に記載のブリスタ包装機の監視システム。
【請求項１７】
前記携帯電話網は、メールサーバーを具備し、かつ、前記情報を、前記メールサーバーに一旦保存可能に構成したことを特徴とする請求項１６に記載のブリスタ包装機の監視システム。
【請求項１８】
前記情報が前記メールサーバーに一旦保存された場合、当該保存された旨を作業者に通知可能に構成したことを特徴とする請求項１７に記載のブリスタ包装機の監視システム。
【請求項１９】
前記保存された旨が作業者が通知できなかった場合、再度保存された旨を通知可能に構成したことを特徴とする請求項１８に記載のブリスタ包装機の監視システム。
【請求項２０】
前記情報が、前記携帯電話にメール送信された場合、又は、前記メールサーバーに一旦保存された場合、その旨を、識別情報の表示、音、発光及び振動並びにこれらの任意の組み合わせのうち、少なくとも１つによって、作業者に報知可能に構成したことを特徴とする請求項１６乃至１９のいずれかに記載のブリスタ包装機の監視システム。
【発明の詳細な説明】
【０００１】
【発明の属する技術分野】
本発明は、ポケット部に錠剤が収容されてなるブリスタシートを製造するためのブリスタ包装機に係り、より詳しくは、当該ブリスタ包装機の監視システムに関するものである。
【０００２】
【従来の技術】
一般に、ブリスタシート（「ＰＴＰシート」とも称される）は、例えばＰＰ（ポロプロピレン）よりなり複数のポケット部を備えた包装用フィルムと、ポケット部を塞ぐようにして包装用フィルムに取着されたアルミニウム製のカバーフィルムとを有している。各ポケット部には錠剤が収容されている。
【０００３】
従来、ブリスタシートを製造する装置（ブリスタ包装機）にあっては、最上流側にロール状の包装用フィルムがセットされている。当該ロール状の包装用フィルムの下流側において、包装用フィルムにポケット部を形成するためのポケット部形成装置、各ポケット部に錠剤を投入するための錠剤投入装置、包装用フィルムにカバーフィルムを貼着するための貼着装置、検査装置、ＰＴＰシート形状に打抜くためのシート打抜装置等の各装置が順次設けられている。
【０００４】
このようなブリスタ包装機に対応して、表示装置を設け、該表示装置に図形データ等を表示する技術がある（例えば、特許文献１参照）。
【０００５】
また、稼働時間等のデータを、表示、印刷等する装置に関する技術がある（例えば、特許文献２参照）。
【０００６】
【特許文献１】
特開２０００−２０３５３７号公報
【特許文献２】
特開平７−２５７５２５号公報
【０００７】
【発明が解決しようとする課題】
このように、従来は、作業者がブリスタ包装機近傍に常に待機し、表示装置等に表示される情報、警報等をその都度確認することにより、材料の準備や、生産管理等の作業を行うようになっていた。
【０００８】
ところで、ブリスタ包装機の分野においては、上記のように検査装置を設けるのが一般的となっており、該検査装置において、異物の混入を主として検査することとなっている。錠剤という薬品等を包装する都合上、ポケット部内部等に異物が混入したままの状態で出荷されてしまうのを回避する必要があるためである。そこで、従来では、異物の検出されたシートが、不良品として排出されるようになっている。
【０００９】
一方で、上記異物は、機械から生じるものよりも、毛髪や繊維屑など、主として作業者自身や、或いはその着衣等から生じるものが圧倒的割合を占めているのが実状である。
【００１０】
本発明は、上記各事情に鑑みてなされたものであり、作業者等に起因する異物の混入等に起因する不具合を飛躍的に抑制することのできるブリスタ包装機の監視システムを提供することを主たる目的の一つとしている。
【００１１】
【課題を解決するための手段及び発明の効果】
上記の目的を達成するために有効な手段を以下に示す。なお、必要に応じてその作用効果等についても説明する。
【００１２】
手段１．室内に設置されたブリスタ包装機に関し、特定の状態を検知する状態検知手段と、
前記ブリスタ包装機の設置された室とは別の場所に位置する作業者によって携帯される携帯端末と、
前記状態検知手段により、前記特定の状態が検知された場合、その情報の前記携帯端末への送信を可能とする携帯通信網とを備えたことを特徴とするブリスタ包装機の監視システム。
【００１３】
手段１によれば、状態検知手段によって、室内に設置されたブリスタ包装機に関し、特定の状態が検知される。また、状態検知手段により、特定の状態が検知された場合、その情報が、携帯通信網を介して、ブリスタ包装機の設置された室とは別の場所に位置する作業者によって携帯される携帯端末へと送信される。従って、作業者にしてみれば、前記室内に待機することなく、ブリスタ包装機の特定の状態を把握することができる。従って、真に入室が必要な場合に限って、作業者はブリスタ包装機の設置された室に入ればよく、常には、室とは別の場所にいたとしても特に支障が生じない。そのため、作業者に起因する毛髪や、繊維屑等の異物が、室内で飛散する機会が著しく減り、該異物がブリスタシートに混入してしまうことによる不具合を飛躍的に抑制することができる。
【００１４】
手段２．室内に設置されたブリスタ包装機に関し、特定の状態を検知する状態検知手段と、
常には前記ブリスタ包装機の設置された室とは別の場所に位置する作業者によって携帯され、少なくとも前記特定の状態に関連する情報を受信かつ報知可能な携帯端末と、
前記状態検知手段により、前記特定の状態が検知された場合、それに関連する情報を前記携帯端末へ送信可能な携帯通信網とを備えたことを特徴とするブリスタ包装機の監視システム。
【００１５】
手段２によれば、状態検知手段によって、室内に設置されたブリスタ包装機に関し、特定の状態が検知される。また、状態検知手段により、特定の状態が検知された場合、それに関連する情報が、携帯通信網を介して、携帯端末へと送信される。携帯端末は、ブリスタ包装機の設置された室とは別の場所に位置する作業者によって携帯されており、その携帯端末にて、前記送信された少なくとも特定の状態に関連する情報が受信され、作業者に報知される。従って、作業者にしてみれば、前記室内に待機することなく、ブリスタ包装機の特定の状態を把握することができる。従って、真に入室が必要な場合に限って、作業者はブリスタ包装機の設置された室に入ればよく、常には、室とは別の場所にいたとしても特に支障が生じない。そのため、作業者に起因する毛髪や、繊維屑等の異物が、室内で飛散する機会が著しく減り、該異物がブリスタシートに混入してしまうことによる不具合を飛躍的に抑制することができる。
【００１６】
手段３．前記特定の状態は、作業者による所定の作業を必要とする状態であることを特徴とする手段１又は２に記載のブリスタ包装機の監視システム。
【００１７】
手段３によれば、作業者による所定の作業を必要とする状態が状態検知手段により検知され、作業者にその情報が携帯端末を通じて報知されることとなる。従って、作業者が、室とは別の場所にいたとしても、必要に応じて入室して所定の作業を行うことができる。結果として、作業者が別の作業を行うことができることにより、作業効率の向上を図ることができるのは勿論のこと、従来のようにブリスタ包装機のそばに常に作業者がいる場合と比較しても、何ら遜色なくメンテナンス等を行うことができる。そのため、作業者が室内にいないことによる不具合を払拭することができる。
【００１８】
手段４．前記ブリスタ包装機を管理する管理手段を具備し、かつ、前記特定の状態は、前記管理手段により管理される、前記ブリスタ包装機によるブリスタシートの生産に関する特定の状況であることを特徴とする手段１乃至３のいずれかに記載のブリスタ包装機の監視システム。
【００１９】
手段４によれば、ブリスタ包装機が管理手段によって管理される。そして、状態検知手段では、管理手段にて管理される、ブリスタシートの生産に関する特定の状況が検知される。従って、作業者は、室とは別の場所にいながら、生産に関する特定の状況を把握することができ、当該場所において、データの分析作業や日報の作成等の作業を行うことができる。結果として、作業者が別の作業を行うことができることにより、作業効率の向上を図ることができるのは勿論のこと、従来のようにブリスタ包装機のそばに常に作業者がいる場合と比較しても、何ら遜色なく管理等を行うことができる。そのため、作業者が室内にいないことによる不具合を払拭することができる。
【００２０】
手段５．室内に設置されたブリスタ包装機に関し、特定の作業を必要とする状態であることを検知する作業必要状態検知手段と、
常には前記ブリスタ包装機の設置された室とは別の場所に位置する作業者によって携帯され、少なくとも前記特定の状態となっている旨を受信かつ報知可能な携帯端末と、
前記作業必要状態検知手段により、前記特定の作業を必要とする状態となっていることが検知された場合、その旨の情報を前記携帯端末へ送信可能な携帯通信網とを備えたことを特徴とするブリスタ包装機の監視システム。
【００２１】
手段５によれば、作業必要状態検知手段によって、室内に設置されたブリスタ包装機に関し、特定の作業を必要とする状態であることが検知される。また、作業必要状態検知手段により、特定の作業を必要とする状態となっていることが検知された場合、その旨の情報が携帯通信網を介して携帯端末へ送信される。携帯端末は、常にはブリスタ包装機の設置された室とは別の場所に位置する作業者によって携帯され、該携帯端末にて、少なくとも特定の状態となっている旨が受信され、作業者に報知される。従って、作業者にしてみれば、前記室内に待機することなく、ブリスタ包装機に関し、特定の作業を必要とする状態であることを把握することができる。従って、真に入室が必要な場合に限って、作業者はブリスタ包装機の設置された室に入って特定の作業をすればよく、常には、室とは別の場所にいたとしても特に支障が生じない。そのため、作業者に起因する毛髪や、繊維屑等の異物が、室内で飛散する機会が著しく減り、該異物がブリスタシートに混入してしまうことによる不具合を飛躍的に抑制することができる。しかも、作業者が別の作業を行うことができることにより、総合的に作業効率の向上を図ることができるのは勿論のこと、従来のようにブリスタ包装機のそばに常に作業者がいる場合と比較しても、何ら遜色なくメンテナンス等の特定の作業を行うことができる。そのため、作業者が室内にいないことによる不具合を払拭することができる。
【００２２】
手段６．前記特定の作業を必要とする状態は、材料の不足状態及びブリスタ包装機の異常状態のうち少なくとも１つを含んでいることを特徴とする手段５に記載のブリスタ包装機の監視システム。
【００２３】
手段６によれば、作業必要状態検知手段によって、材料の不足状態、或いは、ブリスタ包装機の異常状態が検知される。従って、このような状態が生じたとしても、従来のようにブリスタ包装機のそばに常に作業者がいる場合と比較して、何ら遜色なく材料の準備、供給、或いは、異常解消といったメンテナンス等の作業を行うことができる。そのため、作業者が室内にいないことによる不具合をより確実に払拭することができる。
【００２４】
手段７．室内に設置されたブリスタ包装機に関し、ブリスタ包装機の状態を管理する管理手段と、
常には前記ブリスタ包装機の設置された室とは別の場所に位置する作業者によって携帯され、少なくとも前記管理手段で管理されるブリスタ包装機の状態に関する情報を受信かつ報知可能な携帯端末と、
前記管理手段で管理されるブリスタ包装機の状態に関する情報を、前記携帯端末へ送信可能な携帯通信網とを備えたことを特徴とするブリスタ包装機の監視システム。
【００２５】
手段７によれば、室内に設置されたブリスタ包装機に関し、管理手段によって、ブリスタ包装機の状態が管理される。また、管理手段で管理されるブリスタ包装機の状態に関する情報が、携帯通信網を介して携帯端末へ送信される。該携帯端末は、常にはブリスタ包装機の設置された室とは別の場所に位置する作業者によって携帯され、該携帯端末にて、少なくとも管理手段で管理されるブリスタ包装機の状態に関する情報が受信され、作業者に報知される。従って、作業者にしてみれば、前記室内に待機することなく、ブリスタ包装機に関し、管理手段で管理されるブリスタ包装機の状態に関する情報を把握することができる。従って、真に入室が必要な場合に限って、作業者はブリスタ包装機の設置された室に入って特定の作業をすればよく、常には、室とは別の場所にいたとしても特に支障が生じない。そのため、作業者に起因する毛髪や、繊維屑等の異物が、室内で飛散する機会が著しく減り、該異物がブリスタシートに混入してしまうことによる不具合を飛躍的に抑制することができる。しかも、作業者は、室とは別の場所にいながら、ブリスタ包装機の状態に関する情報を把握することができ、当該場所において、前記情報に基づくデータの分析作業や日報の作成等の作業を行うことができる。結果として、作業者が別の作業を行うことができることにより、作業効率の向上を図ることができるのは勿論のこと、従来のようにブリスタ包装機のそばに常に作業者がいる場合と比較しても、何ら遜色なく管理等を行うことができる。そのため、作業者が室内にいないことによる不具合を払拭することができる。
【００２６】
手段８．前記管理手段で管理されるブリスタ包装機の状態は、稼働状況、生産状況及び設定状況のうち少なくとも１つを含んでいることを特徴とする手段７に記載のブリスタ包装機の監視システム。
【００２７】
手段８によれば、管理手段によって、ブリスタ包装機の稼働状況、生産状況、或いは設定状況が管理される。従って、従来のようにブリスタ包装機のそばに常に作業者がいる場合と比較して、何ら遜色なく稼働状況等を把握することができる。そのため、作業者が室内にいないことによる不具合をより確実に払拭することができる。
【００２８】
手段９．前記管理手段が、前記室内に設置される複数のブリスタ包装機の状態を集中して管理するよう構成したことを特徴とする手段７又は８のいずれかに記載のブリスタ包装機の監視システム。
【００２９】
手段９によれば、室内には、複数のブリスタ包装機が設置され、管理手段によって複数のブリスタ包装機の状態が集中して管理される。従って、各ブリスタ包装機間を移動することなく、複数のブリスタ包装機の状態を比較的容易に把握することができる。
【００３０】
手段１０．前記管理手段と、複数のブリスタ包装機とが、ローカルエリアネットワークで接続されていることを特徴とする手段９に記載のブリスタ包装機の監視システム。
【００３１】
手段１０によれば、管理手段と複数のブリスタ包装機とがローカルエリアネットワークで接続されているため、各ブリスタ包装機の状態に関する情報を比較的容易に管理手段へと集中させることができる。
【００３２】
手段１１．作業者が前記携帯端末を操作することで、前記作業者が指示する指示データが、前記携帯通信網を介して前記管理手段に送信可能となっており、前記指示データが前記管理手段において登録されるよう構成したことを特徴とする手段７乃至１０のいずれかに記載のブリスタ包装機の監視システム。
【００３３】
手段１１によれば、作業者が携帯端末を操作することで、作業者が指示する指示データが、携帯通信網を介して管理手段に送信され、管理手段において登録される。従って、作業者は、室外にいながら、データ登録を行うことができる。従って、指示データの内容によっては、新規登録、設定変更、ブリスタ包装機の起動・停止等を行うこともできる。
【００３４】
手段１２．作業者が前記携帯端末を操作することで、前記作業者が指示する指示データが、前記携帯通信網を介して前記ブリスタ包装機の制御手段に送信可能となっており、前記指示データが前記制御手段において登録されるよう構成したことを特徴とする手段１乃至１１のいずれかに記載のブリスタ包装機の監視システム。
【００３５】
手段１２によれば、作業者が携帯端末を操作することで、作業者が指示する指示データが、携帯通信網を介してブリスタ包装機の制御手段に送信され、制御手段において登録される。従って、作業者は、室の外部にいながら、データ登録を行うことができる。従って、指示データの内容によっては、新規登録、設定変更、ブリスタ包装機の起動・停止等を行うこともできる。
【００３６】
手段１３．前記指示データは、少なくとも生産予定数量を含むことを特徴とする手段１１又は１２に記載のブリスタ包装機の監視システム。
【００３７】
手段１３によれば、作業者は、室の外部にいながら、生産予定数量の新規登録、設定変更等を行うことができる。
【００３８】
手段１４．作業者が前記携帯端末を操作することで、前記携帯通信網を介して前記情報が前記携帯端末に送信されるよう構成したことを特徴とする手段１乃至１３のいずれかに記載のブリスタ包装機の監視システム。
【００３９】
手段１４によれば、作業者が携帯端末を操作することで、携帯通信網を介して情報が前記携帯端末に送信される。従って、作業者の意識に基づいて、情報を把握することができる。つまり、それまで作業者が情報を把握できる状況になかったとしても、把握できる状況になった時点で、作業者の意識に基づいて、情報を把握できる。
【００４０】
手段１５．前記携帯端末は、携帯電話であり、前記携帯通信網は携帯電話網であることを特徴とする手段１乃至１４のいずれかに記載のブリスタ包装機の監視システム。
【００４１】
手段１５によれば、携帯電話という、昨今では比較的普及された端末を介して、上記作用効果が奏される。従って、コストの増大を抑制することができる。
【００４２】
手段１６．前記情報を、前記携帯電話にメール送信可能に構成したことを特徴とする手段１５に記載のブリスタ包装機の監視システム。
【００４３】
手段１６によれば、音声等で送信される場合に比べ、視覚を介してより確実に情報を把握することができる。なお、メール送信される情報媒体としては、文字、数字、絵柄情報、或いはこれらの組み合わせ等が挙げられる。
【００４４】
手段１７．前記携帯電話網は、メールサーバーを具備し、かつ、前記情報を、前記メールサーバーに一旦保存可能に構成したことを特徴とする手段１６に記載のブリスタ包装機の監視システム。
【００４５】
手段１７によれば、情報が、携帯電話網のメールサーバーに一旦保存される。そのため、サーバーに保存されているメールを、作業者が所望とするときに確認することができる。
【００４６】
手段１８．前記情報が前記メールサーバーに一旦保存された場合、当該保存された旨を作業者に通知可能に構成したことを特徴とする手段１７に記載のブリスタ包装機の監視システム。
【００４７】
手段１８によれば、情報がメールサーバーに一旦保存された場合、当該保存された旨が作業者に通知されるため、当該通知以降、サーバーに保存されているメールを、作業者が所望とするときに確認することができる。
【００４８】
手段１９．前記保存された旨が作業者が通知できなかった場合、再度保存された旨を通知可能に構成したことを特徴とする手段１８に記載のブリスタ包装機の監視システム。
【００４９】
手段１９によれば、保存された旨が作業者が通知できなかった場合、再度保存された旨が通知されるため、たまたま携帯電話の電源が切られているような場合でも、電源が入れられた後に再度通知されることから、メールを確実に受け取ることができる。
【００５０】
手段２０．前記情報が、前記携帯電話にメール送信された場合、又は、前記メールサーバーに一旦保存された場合、その旨を、識別情報の表示、音、発光及び振動並びにこれらの任意の組み合わせのうち、少なくとも１つによって、作業者に報知可能に構成したことを特徴とする手段１６乃至１９のいずれかに記載のブリスタ包装機の監視システム。
【００５１】
手段２０によれば、携帯電話を携帯している作業者は、メールを確認すべきことにいち早く気づくことができる。また、気づくのが遅れたとしても、比較的容易に確認することができる。なお、「音」には、音声や警告音が含まれる。
【００５２】
【発明の実施の形態】
以下、一実施の形態について、図面を参照しつつ説明する。図２，３に示すように、ブリスターシートとしてのＰＴＰシート１は、例えばＰＰ（ポロプロピレン）よりなり複数のポケット部２を備えた包装用フィルム３と、ポケット部２を塞ぐようにして包装用フィルム３に取着されたアルミニウム製のカバーフィルム４とを有している。各ポケット部２には錠剤５が１つずつ収容されている。本実施の形態では、ＰＴＰシート１は、帯状のフィルムとしての包装用フィルム３及び帯状のカバーフィルム４から形成された帯状のＰＴＰフィルム６が打抜かれることで、シート状に製造されている。
【００５３】
次に、上記のように構成されてなるＰＴＰシート１を製造するためのブリスタ包装機８（ＰＴＰシートの製造装置）の概略について図４に基づいて説明する。
【００５４】
帯状の包装用フィルム３は、最上流側においてロール状に巻回されている。包装用フィルム３は上述したようにＰＰ等の比較的硬質で所定の剛性を有する合成樹脂によって構成され（ＰＶＣ等の他の熱可塑性樹脂材料により構成してもよい）、透明又は半透明を呈している。
【００５５】
ブリスタ包装機８においては、ロール状に巻回された包装用フィルム３が、間欠的に移送されるようになっており、包装用フィルム３移送経路に沿って、加熱手段１２とポケット成形手段１３とが順に並設されている。これら加熱手段１２及びポケット成形手段１３によってポケット部形成装置１４が構成されている。そして、加熱装置１２によって包装用フィルム３が部分的に加熱されて、該包装用フィルム３が比較的柔軟になった状態において、ポケット成形手段１３によって包装用フィルム３にポケット部２が成形される。なお、このポケット部２の成形は、包装用フィルム３の移送動作間のインターバルの際に行われる。
【００５６】
ポケット部２が形成された包装用フィルム３の移送経路に沿って、ポケット部２に錠剤５を自動的に充填する錠剤投入装置１６、検査装置１７、フィルム受けロール１８が配設されている。錠剤投入装置１６は、所定間隔毎にシャッタを開くことで錠剤５を自由落下させるものであり、このシャッタ開放動作に伴って各ポケット部２に錠剤５が投入される。
【００５７】
検査装置１７は、錠剤５が各ポケット部２に確実に充填されているか否か、また錠剤５の異常の有無、異物混入の有無等の検査を行うためののものである。該検査装置１７は、ポケット部２の開口側からの検査を行う。
【００５８】
一方、帯状に形成されたカバーフィルム４は、最上流側においてロール状に巻回されている。ロール状に巻回されたカバーフィルム４の引出し端は、前記フィルム受けロール１８の方へと案内されている。フィルム受けロール１８には、加熱ロール１９が圧接可能となっており、両ロール１８，１９間に包装用フィルム３及びカバーフィルム４が送り込まれるようになっている。そして、包装用フィルム３及びカバーフィルム４が、両ロール１８，１９間を加熱圧接状態で通過することで、包装用フィルム３にカバーフィルム４が貼着され、これにより、錠剤５が各ポケット部２に充填されたＰＴＰフィルム６が製造される。
【００５９】
フィルム受けロール１８の下流ではＰＴＰフィルム６移送経路に沿って、錠剤５等の異常の有無、異物混入の有無等の検査を行うための検査装置２１が配設されている。この検査装置２１はポケット部２の突出面側からの検査を行うものである。従って、前記検査装置１７による検査とも相俟って、ＰＴＰフィルム６の表裏両面側からの検査を実行することができるようになっている。なお、各検査装置１７，２１によって不良品判定された場合、その不良品判定となったＰＴＰシートは、図示しない不良シート排出機構によって別途排出される。
【００６０】
検査装置２１の下流ではＰＴＰフィルム６移送経路に沿って、スリット成形装置２２、刻印装置２３及びシート打抜装置２４が順に配設されている。スリット成形装置２２は、ＰＴＰフィルム６の所定位置にスリットを形成する機能を有する。刻印装置２３はＰＴＰフィルム６の所定位置にロットナンバー等の識別情報を示す刻印を付す機能を有する。シート打抜装置２４は、ＰＴＰフィルム６をＰＴＰシート１単位に打抜く機能を有する。
【００６１】
前記シート打抜装置２４の下流側には、シート打抜装置２４から落下する端材２５を貯留するためのスクラップ用ホッパ２６が設けられている。また、シート打抜装置２４の下側には、打抜かれたＰＴＰシート１を移送するためのコンベア２８が設けられており、該ＰＴＰシート１は完成品用ホッパ２９に移送されるようになっている。
【００６２】
尚、包装用フィルム３やＰＴＰフィルム６は、複数のロールを介して移送されるようになっている。該ロールのうち、ポケット部２の膨らみ側に面するローラとしてのロール１８，３１，３２，３３，３４，３５（図４参照）は、表面に包装用フィルム３やＰＴＰフィルム６のポケット部２の形状に対応した凹部の形成されたポケット送りロールとなっている。前記フィルム受けロール１８を例にとると、包装用フィルム３の移送方向における、フィルム受けロール１８の外周に対する凹部の形成間隔とＰＴＰフィルム６に対するポケット部２の形成間隔とは、同等になっている。フィルム受けロール１８が、ポケット部２を凹部に収容しながら回転駆動されることで、ポケット部２が潰されること無く、包装用フィルム３等の移送が行われる（他の送りロール３１，３２，３３，３４，３５についても同様）。
【００６３】
なお、この外にも、ブリスタ包装機８には、包装用フィルム３を自動的に供給するための自動供給装置（図示略）をはじめ、包装用フィルム３の移送状況等を検出するための各種検知手段が備えられている。なお、自動供給装置は、前の包装用フィルム３の終端部に次の包装用フィルム３の先端部を付き合わせ、その付き合わせ部分にテープを貼り付けるようになっている。
【００６４】
ブリスタ包装機８の概略は以上のとおりである。本実施の形態において、上記のようなブリスタ包装機８（８＃１〜８＃ｎ）は、図１に示すように、複数台、包装機室４０内に設置されている。そして、各ブリスタ包装機８＃１〜８＃ｎの状態等に関し、監視されるようになっている。次には、各ブリスタ包装機８＃１〜８＃ｎの監視システムについて説明する。
【００６５】
各ブリスタ包装機８＃１〜８＃ｎは、上記構成に加えて、各種アクチュエータの制御を司る制御手段５０＃１〜５０＃ｎを備えている。さらに、各ブリスタ包装機８＃１〜８＃ｎに対応して、表示手段５１＃１〜５１＃ｎ及び通信手段５２＃１〜５２＃ｎが設置されている。表示手段５１＃１〜５１＃ｎ及び通信手段５２＃１〜５２＃ｎは、前記制御手段５０＃１〜５０＃ｎに接続されている。
【００６６】
また、各通信手段５２＃１〜５２＃ｎは、ＬＡＮ（ローカルエリアネットワーク）５３に接続されている。ＬＡＮ５３には、ネットワークサーバー５４が接続されている。
【００６７】
さらに、前記包装機室４０内には、各ブリスタ包装機８＃１〜８＃ｎを管理するための管理手段５５が設けられている。当該管理手段５５は、各ブリスタ包装機８＃１〜８＃ｎに関する情報（例えば、各ブリスタ包装機８＃１〜８＃ｎにおけるＰＴＰシート１の生産予定数）を記憶するためのメモリ５６＃１〜５６＃ｎを具備している。当該管理手段５５も、前記ＬＡＮ５３に接続されている。従って、各ブリスタ包装機８＃１〜８＃ｎにおける稼働状況、生産状況及び設定状況等の情報は、ＬＡＮ５３を介して、管理手段５５において、集中して管理可能となっている。
【００６８】
かかる管理手段５５において管理されている情報、及び、前記各制御手段５０＃１〜５０＃ｎからの情報（ここでは、所定の作業を必要とする旨の情報）は、ＬＡＮ５３に設置された端末５７から、携帯電話網５８の端末５９へと送信可能となっている。携帯電話網５８は、メールサーバー６１に接続されており、前記各情報は、メールサーバー６１に一旦保存されるようになっている。
【００６９】
また、携帯電話網５８からは、前記メールサーバー６１に一旦保存された情報等が別室７０に待機している作業者が携帯している携帯電話６２へとメール情報として送信可能となっている。前記携帯電話６２は、前記メール情報を受信可能な機能を具備している。また、前記情報が、メールサーバー６１に一旦保存された場合、その旨が、携帯電話６２の表示部６２ａにおいて表示可能となっている。本実施の形態では、かかる表示に先だって、携帯電話６２から、音声、発光及び振動等が導出され、作業者に報知されるようになっている。
【００７０】
なお、携帯電話６２及び携帯電話網５８は、受信又は送信の一方の機能のみならず、送受信の両機能を具備している。これにより、作業者が携帯電話６２を操作することで、作業者からの情報要求信号や、作業者の指示する指示データ（例えば、生産予定数量）が、携帯電話網５８を介して前記管理手段５５に送信可能となっており、前記指示データが管理手段５５の前記メモリ５６＃１〜５６＃ｎにおいて登録されるようになっている。これにより、作業者は、別室７０にいながら、データ登録を行うことができ、登録の行われた管理手段５５では、その登録に基づいてブリスタ包装機８＃１〜８＃ｎの管理を行うようになっている。
【００７１】
次に、上記のように構成されてなる管理システムの下、ブリスタ包装機８＃１〜８＃ｎに異常が起きた場合を念頭においた異常監視システム、及び、ブリスタ包装機８＃１〜８＃ｎにおけるＰＴＰシート１の生産管理を念頭においた生産管理システムが実際に実施される場合の各作用効果について説明する。
【００７２】
（１）異常監視システムについて
上記各ブリスタ包装機８＃１〜８＃ｎにおいては、各種センサからの検知信号等に基づき、各制御手段５０＃１〜５０＃ｎにおいて、包装用フィルム３や錠剤５等の材料の不足、或いは、各装置の異常・故障等の所謂「作業を必要とする状態」にあることが検知されるようになっている。従って、本実施の形態では、各種センサ、制御手段５０＃１〜５０＃ｎによって状態検知手段、作業必要状態検知手段が構成されているといえる。
【００７３】
一方で、作業者は、前記別室７０において待機しており、該作業者が携帯電話６２を携帯しているものとする。
【００７４】
この場合において、「作業を必要とする状態」が制御手段５０＃１〜５０＃ｎにおいて検知されたとする。このとき、制御手段５０＃１〜５０＃ｎは、ＬＡＮ５３、端末５７，５９、携帯電話網５８を介して、「作業を必要とする状態」が発生した旨の情報を、送信する。そして、当該情報がメールサーバー６１において一旦保存される。また、これとともに、携帯電話網５８を介して、その旨が携帯電話６２に、表示、音声、発光、振動又はその組み合わせによって通知される。
【００７５】
通知を知った作業者は、携帯電話６２を操作することで、メールサーバー６１に保存された情報のメール送信を要求する。これにより、メールサーバー６１に保存されたメール本文が携帯電話６２に送信される。当該メール本文は携帯電話６２の表示部６２ａに表示され、作業者は、当該本文を読むことによって、「作業を必要とする状態」が生じた旨及び、その具体的内容（例えば、包装用フィルム３が不足している等の情報、或いは、所定の装置に異常が生じた等の情報）を把握することができる。そして、作業者は、前記包装機室４０内に入室し、所定の作業を行う。
【００７６】
なお、前記通知に際し、たまたま携帯電話６２の電源が切られているような場合があったとしても、携帯電話網５８により、何度もその旨が通知される。従って、電源が切られているような場合であっても、電源が入れられた後に再度通知されることから、メールを確実に受け取ることができる。
【００７７】
このように、上記例によれば、包装機室４０内に設置されたブリスタ包装機８＃１〜８＃ｎに関し、何らかの「作業を必要とする状態」が生じた場合、その旨の情報が携帯電話網５８を介して携帯電話６２へと送信される。携帯電話６２は、常にはブリスタ包装機８＃１〜８＃ｎの設置された包装機室４０とは異なる別室７０に位置する作業者によって携帯され、該携帯電話６２にて、「作業を必要とする状態」が生じた旨、及びその詳細な情報が受信され、作業者に報知される。従って、作業者にしてみれば、包装機室４０内に待機することなく、ブリスタ包装機８＃１〜８＃ｎに関し、「作業を必要とする状態」が生じたことを把握することができる。
【００７８】
そのため、真に入室が必要な場合に限って、作業者は、包装機室４０内に入って特定の作業をすればよく、常には、別室７０にいたとしても特に支障が生じない。そのため、作業者に起因する毛髪や、繊維屑等の異物が、包装機室４０内で飛散する機会が著しく減り、該異物がブリスタシートに混入してしまうことによる不具合を飛躍的に抑制することができる。しかも、作業者は、別室７０で別の作業を行うことができることで、総合的に作業効率の向上を図ることができるのは勿論のこと、従来のようにブリスタ包装機のそばに常に作業者がいる場合と比較しても、何ら遜色なくメンテナンス等の特定の作業を行うことができる。そのため、作業者が包装機室４０内にいないことによる不具合を払拭することができる。
【００７９】
（２）生産管理システムについて
上述したように、各ブリスタ包装機８＃１〜８＃ｎは、管理手段５５において集中管理されている。
【００８０】
一方で、作業者は、前記別室７０において待機しており、該作業者が携帯電話６２を携帯している。
【００８１】
この場合において、作業者が、ブリスタ包装機８＃１〜８＃ｎに関する特定の状態（例えば、▲１▼稼働中か否か、停止中の理由、材料の不足の有無、加熱手段の加熱温度等の工程情報といった稼働状況、▲２▼生産数、稼働時間、不良数、錠剤５の投入数、包装用フィルム３の投入数、不良率、品種といった生産状況、或いは、▲３▼設定された生産数、生産速度、投入される錠剤５の種類といった設定状況）を把握したい場合には、作業者は携帯電話６２を操作する。該操作によって、該携帯電話６２から携帯電話網５８を介して管理手段５５に、特定の状況に関する情報を要求する旨の信号が送信される。そして、かかる信号を受けた管理手段５５は、前記特定の状態に関する情報を、ＬＡＮ５３、端末５７，５９、携帯電話網５８を介して、送信する。そして、当該情報がメールサーバー６１において一旦保存される。また、これとともに、携帯電話網５８を介して、その旨が携帯電話６２に、表示、音声、発光、振動又はその組み合わせによって通知される。
【００８２】
通知を知った作業者は、携帯電話６２を操作することで、メールサーバー６１に保存された情報をメール送信要求する。これにより、メールサーバー６１に保存されたメール本文が送信される。なお、改めてメール送信要求することなく、メール本文が送信されることとしてもよい。当該メール本文は携帯電話６２の表示部６２ａに表示され、作業者は、当該本文を読むことによって、前記特定の状態に関する情報を把握することができる。そして、作業者は、当該情報に基づいて所定の措置を講ずる。
【００８３】
このように、上記例によれば、包装機室４０内に設置されたブリスタ包装機８＃１〜８＃ｎに関し、特定の状態を把握したい場合、当該状態に関する情報が携帯電話網５８を介して携帯電話６２へと送信される。携帯電話６２は、常にはブリスタ包装機８＃１〜８＃ｎの設置された包装機室４０とは異なる別室７０に位置する作業者によって携帯され、該携帯電話６２にて、前記情報が受信され、作業者に報知される。従って、作業者にしてみれば、包装機室４０内に待機することなく、ブリスタ包装機８＃１〜８＃ｎに関する特定の状態を把握することができる。
【００８４】
そのため、ブリスタ包装機８＃１〜８＃ｎの状態を把握する上においても、作業者が、常には、別室７０にいたとしても特に支障が生じない。従って、作業者に起因する毛髪や、繊維屑等の異物が、包装機室４０内で飛散する機会が著しく減り、該異物がブリスタシートに混入してしまうことによる不具合を飛躍的に抑制することができる。しかも、作業者は、包装機室４０とは異なる別室７０にいながら、ブリスタ包装機８＃１〜８＃ｎの特定の状態に関する情報を把握することができ、当該別室７０において、例えば、前記情報に基づくデータの分析作業や、日報の作成等の作業を行うことができる。結果として、作業者が別の作業を行うことができることにより、作業効率の向上を図ることができるのは勿論のこと、従来のようにブリスタ包装機のそばに常に作業者がいる場合と比較しても、何ら遜色なく管理等を行うことができる。そのため、作業者が包装機室４０内にいないことによる不具合を払拭することができる。
【００８５】
また、本例では、作業者が携帯電話６２を操作することで、生産予定数量等の作業者の指示するデータが、携帯電話網５８を介して管理手段５５に送信可能となっており、該データが管理手段５５のメモリ５６＃１〜５６＃ｎに登録される。このため、作業者は、別室７０にいながら生産数量等を管理することができる。従って、作業者が包装機室４０内に入室する機会が一層減り、異物混入による不具合を一層抑制することができる。
【００８６】
尚、上述した実施の形態の記載内容に限定されることなく、例えば次のように実施してもよい。
【００８７】
（ａ）上記実施の形態では、包装機室４０内に複数台のブリスタ包装機８が設置される構成となっているが、１台のみが設置されている場合に具体化することも可能である。
【００８８】
（ｂ）上記実施の形態では、作業者が携帯電話６２を操作することで、生産予定数量等の指示データを管理手段５５に登録可能となっているが、登録できない構成となっていてもよい。
【００８９】
（ｃ）また、作業者が携帯電話６２を操作することで、指示データが、携帯電話網５８を介して、管理手段５５ではなく、各ブリスタ包装機８＃１〜８＃ｎの制御手段５０＃１〜５０＃ｎに送信されるよう構成し、かつ、該指示データが制御手段５０＃１〜５０＃ｎにおいて登録されるよう構成してもよい。
【００９０】
（ｄ）さらに、指示データの内容としては、生産予定数量に限定されるものではなく、生産速度、ロットデータ等各種のデータを送信しうるようにしてもよい。
【００９１】
（ｅ）上記実施の形態では、各情報を、携帯電話６２にメール送信するよう構成されているが、音声等で送信することとしてもよい。
【００９２】
（ｆ）また、上記実施の形態では、各情報がメールサーバー６１に一旦保存されるとともに、作業者にその旨が通知されるようになっているが、通知に代えて、メール本文を直接作業者に通信することとしてもよい。
【００９３】
（ｇ）上記実施の形態では、作業者は別室７０にて待機する構成となっているが、屋外で待機することとしてもよい。
【図面の簡単な説明】
【図１】一実施の形態におけるブリスタ包装機の監視システムを示す概略構成図である。
【図２】（ａ）はＰＴＰシートを、（ｂ）はＰＴＰフィルムを示す斜視図である。
【図３】ＰＴＰシートを示す部分拡大断面図である。
【図４】ブリスタ包装機の概略構成を説明するための模式図である。
【符号の説明】
１…ブリスタシートとしてのＰＴＰシート、２…ポケット部、３…包装用フィルム、８，８＃１〜８＃ｎ…ブリスタ包装機、４０…室としての包装機室、５０＃１〜５０＃ｎ…制御手段、５３…ＬＡＮ（ローカルエリアネットワーク）、５５…管理手段、５６＃１〜５６＃ｎ…メモリ、５８…携帯通信網を構成する携帯電話網、６１…メールサーバー、６２…携帯端末を構成する携帯電話、６２ａ…表示部、７０…別室。
【図１】
2004175380.tif 000003
【図２】
2004175380.tif 000004
【図３】
2004175380.tif 000005
【図４】
2004175380.tif 000006